(57)【要約】【課題】  最近、リモコン付の家庭電化製品が多機種になり、それぞれの製品をコントロールするために、複数のリモコンを個別に操作する必要があった。また、各機器の持つ機能も多くなったため、一つのリモコン操作についても複雑になってきており、限られた小さなリモコン上で、その機能全ての操作に対応する操作ボタンを一度に配列することが難しくなってきている。【解決手段】  リモコン装置１の操作面上に、表示素子７ａを備えた操作ボタン７を複数配設し、操作者による操作に応じて、表示素子７ａの表示内容を逐次切替えると共に操作ボタン７の機能も切替えることにより、限られたスペースに、すべての操作ボタンを一度に表示することなく、限られた数の操作ボタンを繰り返し操作することによって、リモコン装置の多様化した機能に対応する。【選択図】        図１
2005354143.tif 000002
【特許請求の範囲】
【請求項１】
操作ボタンと該操作ボタン上又は近傍に画像を表示する表示手段とを有し、入力された表示データに応じて前記表示手段の表示を設定すると共に、前記操作ボタンの操作時に操作情報を出力する操作部と、
前記表示データを格納する第１のメモリと、
前記操作情報に基づいて前記第１のメモリから前記表示データを読み出し、前記操作部に出力する制御手段と、
前記制御手段の制御手順を格納する第２のメモリと
を有し、
前記制御手段が、前記制御手順に基づいて、前記操作情報に対応する所定の前記表示データを読み出して前記操作部に出力することを特徴とするリモコン装置。
【請求項２】
前記制御部は、操作者によって、次に操作すべき前記操作ボタンに対応する前記表示手段を識別可能にする表示をさせることを特徴とする請求項１記載のリモコン装置。
【請求項３】
操作者による接触位置を検出可能なタッチパネルと、表示手段とを有し、入力された表示データに応じて前記表示手段の表示を設定すると共に、前記接触位置を特定する第１の接触位置情報を出力する操作部と、
前記表示データを格納する第１のメモリと、
前記第１の接触位置情報に基づいて前記第１のメモリから前記表示データを読み出し、前記操作部に出力する制御手段と、
前記制御手段の制御手順を格納する第２のメモリと
を有し、
前記制御手段が、前記制御手順に基づいて、前記第１の接触位置情報に対応する所定の前記表示データを読み出して前記操作部に出力すること特徴とするリモコン装置。
【請求項４】
前記制御部は、前記表示手段によって操作ボタンを示す絵文字を表示し、操作者によって、次に操作すべき前記操作ボタンを識別可能としたことを特徴とする請求項３記載のリモコン装置。
【請求項５】
請求項１乃至請求項４の何れかに記載のリモコン装置により操作される被操作装置であって、
前記リモコン装置によって送信される送信データを受信する本体受信部と、
被操作装置に配設された本体表示手段と、
該本体表示手段の表示及び被操作装置の動作を制御する本体制御手段と
を有し、
前記本体制御手段が、前記本体表示手段に前記リモコン装置の前記表示手段による表示内容に対応する画像を表示させる
ことを特徴とする被操作装置。
【請求項６】
前記本体表示手段に重ねて配置され、操作者による操作に基づいて被操作装置の動作を制御する本体タッチパネルを有して前記接触位置を特定する第２の接触位置情報を出力する本体操作部を有し、
前記本体制御手段が、前記第２の接触位置情報に基づいて被操作装置の動作を制御することを特徴とする請求項５記載の被操作装置。
【請求項７】
前記本体制御部は、前記本体表示手段によって操作ボタンを示す絵文字を表示し、操作者によって、次に操作すべき前記操作ボタンを識別可能としたことを特徴とする請求項６記載の被操作装置。
【請求項８】
請求項１乃至請求項４の何れかに記載のリモコン装置と、請求項６又は請求項７に記載の被操作装置とを有するリモコンシステムであって、
前記リモコン装置に備えられて前記被操作装置との間で信号を送受信する送受信部と、
前記被操作装置に備えられて前記リモコン装置との間で信号を送受信する本体送受信部とを有し、
前記リモコン装置と前記被操作装置との間の通信により、前記リモコン装置の前記表示手段及び前記被操作装置の前記本体表示手段が共通の表示内容を表示することを特徴とするリモコンシステム。
【発明の詳細な説明】
【技術分野】
【０００１】
本発明は、リモコン装置、及びこのリモコン装置によって操作されるテレビ、ビデオ、或いはエアコン等の被操作装置に関する。
【背景技術】
【０００２】
従来、例えば、操作部にタッチパネルを使い、プログラマブルリモコン装置によって操作される機器のそれぞれに対応して機能画面を作成し、その後、各機器のうち一つを操作するときは、機種の選定を行なうことによりその機種の機能画面をタッチパネルに表示し、その画面上に表示された、コントロールに必要なキーを表す絵文字を押すことにより、キー入力を行って操作するものがあった（例えば、特許文献１参照）。
【０００３】
【特許文献１】特開平５―１４５９７３号公報（第１頁、図２）
【発明の開示】
【発明が解決しようとする課題】
【０００４】
以上のように構成することによって、多機種にわたるリモコン付の機器を、１つのプログラマブルリモコン装置でコントロールすることができる。しかしながら、上記した従来装置では、選択された機器によってキー（ボタン）の配置や数が変わり、ユーザが即座に対応しづらいという不具合があった。
【０００５】
また、選択された機器が多様な機能を有する場合、リモコンの画面で全ての機能に対応する操作用のキー(ボタン)を一度に表示すると、その数が増加して煩雑になり、操作しづらいという不具合があった。また、操作用のキー(ボタン)の数が増加すると、操作性を犠牲にしてボタンや表示文字を小さくして所定の画面内に収めるか、或いはこれらをある程度の大きさに保つ場合には、大画面を確保するためにリモコン装置自体を大きくしなければならないという不具合があった。
【０００６】
本発明の目的は、これ等の問題点を解消して、複数の被操作装置のリモコン機能に対応すると共に、リモコン装置の大きさを大きくすることなく、またキー(ボタン)や表示文字を小さくすることもなく、煩雑さのない快適な操作性を実現するリモコン装置を提供することにある。
【課題を解決するための手段】
【０００７】
本願発明によるリモコン装置は、操作ボタンと該操作ボタン上又は近傍に画像を表示する表示手段とを有し、入力された表示データに応じて前記表示手段の表示を設定すると共に、前記操作ボタンの操作時に操作情報を出力する操作部と、前記表示データを格納する第１のメモリと、前記操作情報に基づいて前記第１のメモリから前記表示データを読み出し、前記操作部に出力する制御手段と、前記制御手段の制御手順を格納する第２のメモリとを有し、
前記制御手段が、前記制御手順に基づいて、前記操作情報に対応する所定の前記表示データを読み出して前記操作部に出力することを特徴とする。
【０００８】
本願の別の発明によるリモコン装置は、操作者による接触位置を検出可能なタッチパネルと、表示手段とを有し、入力された表示データに応じて前記表示手段の表示を設定すると共に、前記接触位置を特定する第１の接触位置情報を出力する操作部と、前記表示データを格納する第１のメモリと、前記第１の接触位置情報に基づいて前記第１のメモリから前記表示データを読み出し、前記操作部に出力する制御手段と、前記制御手段の制御手順を格納する第２のメモリとを有し、
前記制御手段が、前記制御手順に基づいて、前記第１の接触位置情報に対応する所定の前記表示データを読み出して前記操作部に出力すること特徴とする。
【０００９】
本願発明の被操作装置は、上記リモコン装置によって操作される被操作装置であって、
前記リモコン装置によって送信される送信データを受信する本体受信部と、被操作装置に配設された本体表示手段と、該本体表示手段の表示及び被操作装置の動作を制御する本体制御手段とを有し、
前記本体制御手段が、前記本体表示手段に前記リモコン装置の前記表示手段による表示内容に対応する画像を表示させることを特徴とする。
【００１０】
本願発明のリモコンシステムは、上記リモコン装置及び被操作装置を有するリモコンシステムであって、
前記リモコン装置に備えられて前記被操作装置との間で信号を送受信する送受信部と、前記被操作装置に備えられて前記リモコン装置との間で信号を送受信する本体送受信部とを有し、
前記リモコン装置と前記被操作装置との間の通信により、前記リモコン装置の前記表示手段及び前記被操作装置の前記本体表示手段が共通の表示内容を表示することを特徴とする。
【発明の効果】
【００１１】
本願発明のリモコン装置によれば、リモコン上に配置するスイッチの数を制限できるため、リモコン装置自体を大きくすることなく適当な間隔でスイッチを配置でき、誤操作を減らし、煩雑さを感じないリモコン操作を実現することができる。
【００１２】
本願の別の発明のリモコン装置によれば、リモコン上に表示する操作ボタン等の絵文字を自由にレイアウトできるため、更に操作性の優れたリモコン装置を提供することができる。
【００１３】
本願発明の被操作装置によれば、リモコン装置の表示内容を被操作装置の表示手段に大きく表示でき、更に、その表示に基づいて被操作装置の操作を行うことができる。
【００１４】
本願発明のリモコンシステムによれば、リモコン装置と被操作装置の各表示内容が共通となり、また同じ操作をどちらからでも実行することが可能となる。
【発明を実施するための最良の形態】
【００１５】
実施の形態１．
図１は、本発明による実施の形態１のリモコン装置の外観及び操作面の構成を示す正面図である。
【００１６】
同図に示すように、実施の形態１のリモコン装置１のリモコン本体２の上面には、このリモコン装置１の電源をオン／オフする電源ボタン４、後述するように一つ前の表示状態に戻すための戻りボタン５、及び操作用のキーボタン群６が配設されている。このキーボタン群６には、４行３列に合計１２個の操作ボタン７が配列されている。尚、これ等の操作ボタン７は、以後、その配置された配列位置に対応して同図に示すように位置記号（１，１）〜（４，３）を付して区別する。即ち、位置記号（Ｘ，Ｙ）において、Ｘは操作ボタンが何番目の行にあるか、つまり横方向に配列された各行の第Ｘ行目にあることを示し、Ｙは操作ボタンが何番目の列にあるか、つまり縦方向に配列された各列の第Ｘ列目にあることを示す。各操作ボタン７は、それぞれ上面に表示素子７ａを備え、この素子７ａによって、後述するように各種の絵文字が表示される。
【００１７】
図２は、リモコン装置１の回路構成の要部を示すブロック図である。
同図中、操作部１０には、前記したリモコン本体２の上面に配置されたキーボタン群６の合計１２個の、操作ボタン７及びその操作ボタンに配設された各表示素子７ａ（図１参照）、電源ボタン４、及び戻りボタン５が含まれる。尚、図１のキーボタン群６の所定の配列位置に配置された各一対の操作ボタン７及び表示素子７ａは、図２の操作部１０において、同じ位置記号（１，１）〜（４，３）を付して対応させている。尚、図中に点線で囲まれた操作ボタン７と表示素子７ａは一対であることを示す。
【００１８】
操作部１０は、操作者によって、リモコン装置１の合計１２個の各操作ボタン７、電源ボタン４、及び戻りボタン５が押圧操作されると、その操作情報を逐次制御部１１に送る。また、後述するように、制御部１１から、各操作ボタン７の表示素子７ａで表示する表示データを入力して、指示された位置の表示素子７ａに指示された表示データを表示させる。
【００１９】
表示メモリ１２は、各操作ボタン７の表示素子７ａで表示する表示データを格納するメモリで、制御部１１からの指示に基づいて、要求される表示データを制御部１１に送る。手順メモリ１３は、操作者が操作したい機能の手順を示すプログラムを格納するメモリで、制御部１１は、この手順メモリ１３に格納されたプログラムに従って、リモコン装置１全体の機能を制御する。
【００２０】
送信部１４は、リモコン装置１によって操作される、例えばテレビ、ビデオ、或いはエアコン等の被操作装置の受信部に向けて、制御部１１から入力する、被操作装置の機能に関連した操作指令信号を送信するための送信部である。
【００２１】
図３は、以上のように構成されたリモコン装置１において、制御部１１が、手順メモリ１３に格納されたプログラムに基づいて行う動作例を説明するためのフローチャートである。以下、このフローチャートを参照しながら、リモコン装置１の動作内容について説明する。
【００２２】
操作者によって図１に示す電源ボタン４が押圧操作されると、このフローがスタートし、初期画面の設定を行う（ステップＳ１）。このとき、制御部１１は、表示メモリ１２から各種表示データを取り出し、図１に示すように、配列位置（１，１）、（１，２）、（１，３）、及び（２，１）の各操作ボタン７上の表示素子７ａに、それぞれ「テレビ」、「ビデオ」、「ＷＷＷ」、及び「エアコン」の文字を表示させる。ここでの表示は、このリモコン装置１がリモコンとして機能する被操作装置の種類を示すもので、このリモコン装置１は、操作者の選択によって、テレビ、ビデオ（録画再生装置）、インターネット或いはエアコンのリモコンとして機能する。
【００２３】
その後、各操作ボタン７、戻りボタン５、及び電源ボタン４の押圧操作が行なわれるのを常時監視する(ステップＳ２、ステップＳ５、ステップＳ７)。ここで、例えば、操作者によって、配列位置（１，２）の操作ボタン７、即ち表示素子７ａに「ビデオ」が表示された操作ボタンが押圧され、これを検出すると(ステップＳ２)、制御部１１は、この操作が表示切替え操作か否かを判断し（ステップＳ３）、表示切替え操作である場合には、表示メモリ１２からビデオ操作に対応した所定の表示データを取り出し、各操作ボタン７の表示素子７ａの表示内容を切替えると共に、各操作ボタンに割り当てられる機能を切替える（ステップＳ４）。
【００２４】
図４は、このときの表示例を示す動作説明図である。同図に示すように、このとき、配列位置（１，１）、（１，２）、（１，３）、（２，１）、（２，２）、（２，３）、（３，１）、（３，２）、及び（３，３）の各操作ボタン７上の表示素子７ａには、それぞれ「巻き戻し」、「停止」、「早送り」、「逆再生」、「一時停止」、「再生」、「タイマ」、「予約」、及び「録画」を示す文字或いは記号を表示させる。この表示変更と共に、各操作ボタン７に割り当てられる機能も、その表示に即した所定の機能に変更される。
【００２５】
ここで、例えば操作者によって、配列位置（３，２）の操作ボタン７、即ち表示素子７ａに「予約」が表示された操作ボタンが押圧され、これを検出すると（ステップＳ２）、制御部１１は、この操作が表示切替えの操作であると判断し（ステップＳ３）、表示メモリ１２から、予約操作に対応した所定の表示データを取り出し、各操作ボタン７の表示素子７ａの表示内容を切替えると共に、各操作ボタンに割り当てられる機能を切替える（ステップＳ４）。
【００２６】
図５は、このときの表示例を示す動作説明図である。同図に示すように、このとき、配列位置（１，１）、（２，１）、（２，２）、（２，３）、及び（３，１）の各操作ボタン７上の表示素子７ａには、それぞれ「Ｇコード」、「スタート」、「エンド」、「モード」、及び「ＣＭカット」を示す文字或いは記号を表示させる。この表示変更と共に、各操作ボタン７に割り当てられる機能も、その表示に即した所定の機能に変更される。
【００２７】
ここで、例えば操作者によって、配列位置（１，１）の操作ボタン７、即ち表示素子７ａに「Ｇコード」が表示された操作ボタンが押圧され、これを検出すると（ステップＳ２）、制御部１１は、この操作が表示切替えの操作であると判断し（ステップＳ３）、表示メモリから、Ｇコード予約操作に対応した所定の表示データを取り出し、各操作ボタン７上の表示素子７ａの表示内容を切替えると共に、各操作ボタンに割り当てられる機能を切替える（ステップＳ４）。
【００２８】
図６は、このときの表示例を示す動作説明図である。同図に示すように、このとき、配列位置（１，１）、（２，１）、（３，１）、（２，１）、（２，２）、（２，３）、（３，１）、（３，２）、（３，３）、（４，１）、（４，２）、及び（４，３）の各操作ボタン７上の表示素子７ａには、それぞれ「７」、「８」、「９」、「４」、「５」、「６」、「１」、「２」、「３」、「０」、「修正」、及び「設定」を示す文字或いは数字を表示させる。この表示変更と共に、各操作ボタン７に割り当てられる機能も、その表示に即した所定の機能に変更される。
【００２９】
ここからの各操作ボタン７の操作は、ステップＳ３において画面切替えのための操作でないと判断され、ステップＳ８の処理によって、テンキー入力によるＧコードの入力、修正ボタンによる訂正、設定ボタンによるＧコードの確定が実行され、更に、この予約データを操作指令信号として、送信部１４から図示しない被操作装置としの録画再生装置に送信する。
【００３０】
戻りボタン５は、各操作ボタン７が現在表示中の操作画面を、一つ前の状態に戻す機能を有する。例えば、今、リモコン装置１のキーボタン群６が、図５に示す予約対応の状態にあるとき、操作者によって戻りボタン５が押圧され、これを検出すると（ステップＳ５）、制御部１１は、表示メモリ１２から、一つ前の状態、ここでは図４に示すビデオ操作に対応した所定の表示データを取り出し、各操作ボタン７上の表示素子７ａの表示内容を切替えると共に、各操作ボタンに割り当てられる機能を切替える（ステップＳ６）。
【００３１】
また、リモコン装置1の起動中に、操作者によって電源ボタン４が再度押圧されると、制御部１１はこれを検出し（ステップＳ７）、すべての動作を中止してこのリモコン装置１の機能を終了する。
【００３２】
尚、本実施の形態では、操作ボタン上に表示素子を設けるようにしたが、これに限定されるものではなく、各操作ボタンの近傍にそれぞれ対応する表示素子を配置するようにしてもよい。
【００３３】
以上のように、本実施の形態のリモコン装置１よれば、リモコン装置１上に配置する操作ボタン（スイッチ）の数を制限できるため、リモコン装置自体を大きくすることなく、適当な間隔で操作ボタンを配置でき、誤操作を減らすと共に煩雑さを感じないリモコン操作を実現することができる。
【００３４】
実施の形態２．
図７は、本発明による実施の形態２のリモコン装置の外観及び操作面の構成を示す正面図である。
【００３５】
同図に示すように、実施の形態２のリモコン装置２１のリモコン本体２２の上面には、このリモコン装置２１の電源をオン／オフする電源ボタン２４、戻りボタン２５、後述するように各種の操作ボタンや絵文字を表示するディスプレイ２６、ディスプレイ２６上に形成されたタッチパネル２７が配設されている。
【００３６】
図８は、リモコン装置２１の回路構成の要部を示すブロック図である。
同図中、操作部３０には、前記したリモコン本体２２の上面に配置されたディスプレイ２６、タッチパネル２７、ディスプレイ２６の表示を制御すると共に、操作者によるタッチパネル２７の押圧位置を検出するタッチ検出回路３５、電源ボタン２４、及び戻りボタン２５が含まれる。この操作部３０は、タッチ検出回路３５で検出した、タッチパネル２７の押圧位置情報を逐次制御部３１に送ると共に、後述するように、制御部３１からディスプレイ２６で表示する表示データを入力し、ディスプレイ２６上の指示された位置に、指示された表示データを表示させる。
【００３７】
表示メモリ３２は、ディスプレイ２６で表示する表示データを格納するメモリで、制御部３１からの指示に基づいて、要求される表示データを制御部３１に送る。手順メモリ３３は、操作者が操作したい機能の手順を示すプログラムを格納するメモリで、制御部３１は、この手順メモリ３３に格納されたプログラムに従って、リモコン装置２１全体の機能を制御する。
【００３８】
送信部３４は、このリモコン装置２１によって操作される、例えばテレビ、ビデオ、或いはエアコン等の被操作装置の受信部に向けて、制御部３１から入力する、被操作装置の機能に関連した操作指令信号を送信するための送信部である。
【００３９】
以上の構成において、このリモコン装置２１は、制御部３１が、手順メモリ３３に格納されたプログラムに基づいて、例えば前記した図３のフローチャートに沿って動作する。但し、ここでの制御部３１は、ステップＳ２において、操作者によるタッチパネル２７の押圧の有無を検出し、ステップＳ１及びステップＳ４における表示は、ディスプレイ２６によって行われる。
【００４０】
以上のように、本実施の形態におけるリモコン装置２１は、前記した実施の形態１の場合と、ほぼ同様のフローに従って動作するものとし、ここでは、動作中のディスプレイ２６による表示内容を中心に、その動作の概要を以下に説明する。
【００４１】
先ず、操作者によって図７に示す電源ボタン２４が押圧されると、同図に示す初期画面をディスプレイ２６上に表示する。このとき同図に示すように、ディスプレイ２６の表示領域１０１，１０２，１０３，１０４に、それぞれ「テレビ」、「ビデオ」、「ＷＷＷ」、及び「エアコン」の文字を伴ったボタンを表示させる。ここでの表示は、このリモコン装置２１がリモコンとして機能する被操作装置の種類を示すもので、このリモコン装置２１は、操作者の選択によって、テレビ、ビデオ（録画再生装置）、インターネット或いはエアコンのリモコンとして機能する。
【００４２】
ここで、例えば操作者によって、タッチパネル２７における「ビデオ」のボタンが表示された表示領域１０２が押圧されると、制御部３１はこれを検出し、ディスプレイ２６の表示内容をビデオ操作に対応した画面に切替える。図９は、このときの表示例を示す動作説明図である。同図に示すように、このとき、ディスプレイ２６の表示領域１１１〜１１９までには、それぞれ「巻き戻し」、「停止」、「早送り」、「逆再生」、「一時停止」、「再生」、「タイマ」、「予約」、及び「録画」を示す文字或いは記号を伴ったボタンを表示させる。
【００４３】
ここで、例えば操作者によって、タッチパネル２７における「予約」のボタンが表示された表示領域１１８が押圧されると、制御部３１はこれを検出し、ディスプレイ２６の表示内容を予約操作に対応した画面に切替える。図１０は、このときの表示例を示す動作説明図である。同図に示すように、このとき、ディスプレイ２６の表示領域１２１〜１２５までには、それぞれ「Ｇコード」、「スタート」、「エンド」、「ＣＭカット」、及び「モード」を示す文字或いは記号を伴ったボタンを表示させる。
【００４４】
ここで、例えば操作者によって、タッチパネル２７における「Ｇコード」のボタンが表示された表示領域１２１が押圧されると、制御部３１はこれを検出し、ディスプレイ２６の表示内容をＧコード予約操作に対応した画面に切替える。図１１は、この時の表示例を示す動作説明図である。同図に示すように、このとき、ディスプレイ２６の表示領域１３１〜１４２までには、それぞれ「７」、「８」、「９」、「４」、「５」、「６」、「１」、「２」、「３」、「０」、「修正」、及び「設定」を示す文字或いは数字を伴ったボタンを表示させる。
【００４５】
操作者は、タッチパネル２７における０〜９までの数値、「修正」、或いは「設定」が表示された各表示領域を押圧してＧコードの入力、訂正、或いは設定を実行する。制御部３１はこれらの操作内容からＧコードを確定し、更に、この予約データを操作指令信号として、送信部３４から図示しない録画再生装置に送信する。尚、戻りボタン２５及び電源ボタン２４の機能については、前記実施の形態１のリモコン装置１における戻りボタン５及び電源ボタン４と全く同じなので、ここでの説明は省略する。
【００４６】
尚、本実施の形態では、ディスプレイ２６にボタン等の絵文字を表示させ、ディスプレイ上に透明なタッチパネル２７を貼り付けるように構成したが、これ等の絵文字を表示する表示手段を一体的に備えたタッチパネルによって構成してもよい。
【００４７】
以上のように、本実施の形態のリモコン装置２１よれば、リモコン装置２１上に表示する操作ボタン等の絵文字を必要なものだけに限定し、且つディスプレイ２６内で自由にレイアウトできるため、更に操作性の優れたリモコン装置を提供することができる。
【００４８】
実施の形態３．
図１２は、本発明による実施の形態３の、リモコン装置及びこのリモコン装置によってコントロールされる被操作装置としての録画再生装置のディスプレイ画面を示す動作説明図である。
【００４９】
同図において、本実施の形態３に示すリモコン装置５１は、前記した実施の形態２の図７に示したリモコン装置２１に対して、後述する、録画再生装置との送受信機能が追加された他は、同等の構成及び機能を有するものである。従って、本実施の形態のリモコン装置５１が、前記した実施の形態２のリモコン装置２１と共通する部分には同符号を付して、或いは図面を省いて説明を省略し、異なる点を重点的に説明する。
【００５０】
一方、録画再生装置のディスプレイ４４の所定領域には、同図に示すようにタッチパネル４５が配設され、タッチパネル４５が配設されたこの所定領域には、後述するように、リモコン装置５１のディスプレイ２６に表示される画像と同様の画像が表示される。
【００５１】
図１３は、リモコン装置５１と被操作装置としての録画再生装置４１の回路構成のうち、本発明に関係する部分の要部を示すブロック図である。
【００５２】
同図に示すように、リモコン装置５１は、制御部５２、操作部３０、表示メモリ３２、手順メモリ３３、及び送受信部５３を有する。制御部５２は、前記した実施の形態２の制御部３１と同様に、操作部３０に含まれるディスプレイ２６（図１２）の表示及びタッチパネル２７（図１２）での操作者による操作内容を把握し、操作部３０を制御して、ディスプレイ２６の表示の切替え、及び表示各部のボタンの機能を設定する。これ等の一連の動作は、前記した実施の形態１及び実施の形態２で説明済みのため、ここでの詳細な説明は省略する。
【００５３】
また制御部５２は、後述する録画再生装置４１の送受信部４７に対して、録画再生装置４１の機能に関連した操作指令信号を、送受信部５３を介して送ると共に、タッチパネル２７（図１２）の操作に基づいてディスプレイ２６の画像を切替える際の画像切替え情報を、送受信部５３を介して送る。更に、制御部５２は、後述するように、録画再生装置４１のタッチパネル４５の操作情報を、送受信部５３を介して入力し、この操作情報に基づいてディスプレイ２６の画像を切替える。
【００５４】
録画再生装置４１は、制御部４２、操作部４３、送受信部４７を有し、操作部４３には図１２に示すディスプレイ４４、タッチパネル４５、及びディスプレイ４４の表示を制御すると共に、操作者によるタッチパネル４３の押圧位置を検出するタッチ検出回路４６が含まれる。この操作部４３は、タッチ検出回路４５で検出した、タッチパネル４５の押圧位置情報を逐次制御部４２に送ると共に、後述するように、制御部４２からディスプレイ４４で表示する表示データを入力し、ディスプレイ４４上のタッチパネル４５が配設された所定領域内の指示された位置に、指示された表示データを表示させる。
【００５５】
制御部４２は、送受信部４７を介してリモコン装置５１から得た前記画像切替え情報に基づいて、図１２に示すように、リモコン装置５１のディスプレイ２６の表示内容に、戻りボタン７０を加えたリモコン画像を、ディスプレイ４４上のタッチパネル４５が配設された所定領域内に表示する。そして操作者が、このリモコン画像を見ながらタッチパネル４３を押圧操作する際の操作情報を、送受信部４７を介してリモコン装置５１に送る。
【００５６】
以上のように構成されたリモコン装置５１及び録画再生装置４１において、その動作例を以下に説明する。
【００５７】
録画再生装置４１のディスプレイ４４上のタッチパネル４５が配設された所定領域には、制御部４２が、送受信部４７を介してリモコン装置５１から入力する画像切替え情報に基づいて行う画像制御によって、図１２に示すように、リモコン装置５１の表示内容と同様の画像が表示される。尚、前記したように、ここでの表示には戻りボタン７０の表示が追加されている。
【００５８】
ここで、操作者が、録画再生装置４１のディスプレイ４４を見ながら、タッチパネル４５の所望のボタン表示箇所を押圧操作すると、この操作情報が、録画再生装置４１の送受信部４７及びリモコン装置５１の送受信部５３を介してリモコン装置５１の制御部５２に至る。制御部５２は、この操作情報に基づいて、リモコン装置５１内の操作部３０から受ける操作情報の場合と同様に、画面の切替え、或いは操作指令信号を作成し、リモコン装置５１内のディスプレイ２６の画像を切替えると共に、この画像の切替え情報、或いは操作指令信号を再び録画再生装置４１に送る。
【００５９】
尚、ここでは、タッチパネル４５の操作情報が、一端リモコン装置５１に送られ、この操作に伴う画像の切替え情報、或いは操作指令信号が再び録画再生装置４１に送られるように構成したが、このタッチパネル４５の操作情報をリモコン装置５１に送ると同時に、本体内で画像の切替え情報、或いは操作指令信号を形成するようにしてもよい。
【００６０】
更に、録画再生装置４１の制御部４２は、リモコン装置５１から送られてきた、或いは制御部４２内で形成した画像の切替え情報、或いは操作指令信号に基づいて、ディスプレイ４４の画像の切替えを行い、或いは、録画、再生、録画予約等の録画再生装置４１の持つ各機能を実行する。
【００６１】
以上のように動作することによって、録画再生装置４１のディスプレイ４４の所定領域には、リモコン装置５１のディスプレイ２６と同様の画像が表示され、且つディスプレイ４４に設けたタッチパネル４５を操作することによって、リモコン装置５１の操作と同様の画面の切替え、及び録画再生装置４１の動作を操作することが可能となる。即ち、リモコン装置５１と、録画再生装置４１のディスプレイ４４の表示及びタッチパネル４５の機能が互いに連動する。
【００６２】
尚、本実施の形態では、リモコン装置の被操作装置として録画再生装置を想定したが、これに限定されるものではなく、テレビ、エアコン等のディスプレイを利用して、同様の機能を持たせることも可能である。
【００６３】
以上のように、本実施の形態のリモコン装置５１及び録画再生装置によるリモコンシステムによれば、リモコン装置５１の表示内容を録画再生装置のディスプレイで拡大表示でき、更にその拡大表示に基づいて録画再生装置の動作を操作することができる。また、リモコン装置５１と、録画再生装置４１のディスプレイ４４の表示及びタッチパネル４５の機能が互いに連動するため、同じ操作をリモコン装置と録画再生装置のどちらでも実行することができる。
【００６４】
実施の形態４．
図１４は、本発明による実施の形態４のリモコン装置の外観及び操作面の構成を示す正面図である。
【００６５】
本実施の形態のリモコン装置６１は、その外観構成及び回路構成の要部が、前記した図７及び図８に示す実施の形態２のリモコン装置２１と全く同じであるため、これ等の図を参照しながら、異なる点について以下に説明する。
【００６６】
リモコン装置６１は、図８に示す実施の形態２のリモコン装置２１のブロック図における手順メモリ３３に格納される手順プログラムの一部を変更し、操作者が次に押圧操作すべきボタンを、フラッシング等により、他の操作ボタンと識別可能に表示するものである。
【００６７】
例えば、図１４の表示状態は、Ｇコード予約の設定が終わった段階で、録画を、高画質、普通、低画質（長時間録画）の何れで行うかを選択するためのモードボタンを押すように、操作者に促すためのフラッシングを行なっている状態を示している。
【００６８】
尚、本実施の形態では、フラッシングによって、特定の操作ボタンを他の操作ボタンと識別可能に構成したが、特定の操作ボタンの色が他の操作ボタンと異なるように構成しても良い。また、実施の形態１のように、操作ボタン７（図１）に表示素子７ａが配設されているような構成のものにおいては、操作者が次に押圧操作すべき操作ボタンの表示素子を例えばフラッシングにより識別化できるようにしてもよい。更に前記した実施の形態３のように構成されている場合、リモコン装置及び被操作装置のディスプレイのそれぞれにおいて、同様の操作ボタンの識別化を行うこともできるなど、種々の態様を取り得る。
【００６９】
以上のように、本実施の形態のリモコン装置６１によれば、操作者が行うべき操作ボタンが案内されるので、操作者は、迷うことなくリモコン操作を実行でき、誤操作も防ぐことができる。
【図面の簡単な説明】
【００７０】
【図１】本発明による実施の形態１のリモコン装置の外観及び操作面の構成を示す正面図である。
【図２】実施の形態１のリモコン装置の回路構成の要部を示すブロック図である。
【図３】実施の形態１のリモコン装置の制御部が、手順メモリに格納されたプログラムに基づいて行う動作例を説明するためのフローチャートである。
【図４】実施の形態１のリモコン装置の表示例を示す動作説明図である。
【図５】実施の形態１のリモコン装置の表示例を示す動作説明図である。
【図６】実施の形態１のリモコン装置の表示例を示す動作説明図である。
【図７】本発明による実施の形態２のリモコン装置の外観及び操作面の構成を示す正面図である。
【図８】実施の形態２のリモコン装置の回路構成の要部を示すブロック図である。
【図９】実施の形態２のリモコン装置の表示例を示す動作説明図である。
【図１０】実施の形態２のリモコン装置の表示例を示す動作説明図である。
【図１１】実施の形態２のリモコン装置の表示例を示す動作説明図である。
【図１２】実施の形態３の、リモコン装置及びこのリモコン装置によってコントロールされる被操作装置としての録画再生装置のディスプレイ画面を示す動作説明図である。
【図１３】リモコン装置と録画再生装置の回路構成のうち、本発明に関係する部分の要部を示すブロック図である。
【図１４】本発明による実施の形態４のリモコン装置の外観及び操作面の構成を示す正面図である。
【符号の説明】
【００７１】
１  リモコン装置、  ２  リモコン本体、  ４  電源ボタン、  ５  戻りボタン、  ６  キーボタン群、  ７  操作ボタン、  ７ａ  表示素子、  １０  操作部、  １１  制御部、  １２  表示メモリ、  １３  手順メモリ、  １４  送信部、  ２１  リモコン装置、  ２２  リモコン本体、  ２４  電源ボタン、  ２５  戻りボタン、  ２６  ディスプレイ、  ２７  タッチパネル、  ３０  操作部、  ３１  制御部、  ３２  表示メモリ、  ３３  手順メモリ、  ３４  送信部、  ３５  タッチ検出回路、  ４１  録画再生装置、  ４２  制御部、  ４３  操作部、  ４４  ディスプレイ、  ４５  タッチパネル、  ４６  タッチ検出回路、  ４７  送受信部、  ５１  リモコン装置、  ５２  制御部、  ５３  送受信部、  ６１  リモコン装置。
【図１】
2005354143.tif 000003
【図２】
2005354143.tif 000004
【図３】
2005354143.tif 000005
【図４】
2005354143.tif 000006
【図５】
2005354143.tif 000007
【図６】
2005354143.tif 000008
【図７】
2005354143.tif 000009
【図８】
2005354143.tif 000010
【図９】
2005354143.tif 000011
【図１０】
2005354143.tif 000012
【図１１】
2005354143.tif 000013
【図１２】
2005354143.tif 000014
【図１３】
2005354143.tif 000015
【図１４】
2005354143.tif 000016